【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
第１サイクルの還元電流より低い、Ｌｉ／Ｌｉ+に対して０．３Ｖにおける第２サイクル還元電流を有する電解質であって、電気化学的に不活性化（passivate）しない塩を含む電解質。
【請求項２】
第１サイクルの還元電流より低い第２サイクル還元電流を有する電解質であって、以下の式の塩を含み：
ＬｉaＱ  上式において、Ｑがボレートクラスターアニオンまたはヘテロボレートクラスターアニオンであり、ａが１または２である電解質。
【請求項３】
少なくとも１種の添加剤を更に含む請求項２の電解質。
【請求項４】
前記添加剤が少なくとも１種の無機化合物を含む請求項３に記載の電解質。
【請求項５】
前記添加剤が、ホウ素、リン、硫黄、フッ素、炭素およびホウ素からなる群から選択される少なくとも１つのメンバーを含む請求項３に記載の電解質。
【請求項６】
前記添加剤が、リチウムヘキサフルオロホスフェート（ＬｉＰＦ6）、リチウムビス−オキサラトボレート（ＬｉＢＯＢ）、リチウムパークロレート（ＬｉＣｌＯ4）、リチウムヘキサフルオロアルセネート（ＬｉＡｓＦ6）、リチウムトリフルオロメタンスルホネート（ＬｉＣＦ3ＳＯ3）、リチウムトリフルオロメタンスルホンイミド（Ｌｉ（ＣＦ3ＳＯ2）2Ｎ、リチウムテトラフルオロボレート（ＬｉＢＦ4）、リチウムテトラクロロアルミナート（ＬｉＣｌＯ4）、リチウムヘキサフルオロアンチモナート（ＬｉＳｂＦ6）、ＣＯ2、リン酸エステル、ホウ酸エステルおよび水からなる群から選択される少なくとも１つのメンバーを含む請求項３に記載の電解質。
【請求項７】
前記添加剤が少なくとも１種のキレート（chelato）ボレート塩を含む請求項３に記載の電解質。
【請求項８】
前記添加剤が、カーボネート、クロロエチレンカーボネート、ビニレンカーボネート、ビニルエチレンカーボネート、サルファイト、エチレンサルファイト、プロパンスルホン、プロピレンサルファイト、ブチロラクトン、フェニルエチレンカーボネート、フェニルビニレンカーボネート、カテコールカーボネート、ビニルアセテート、ビニルエチレンカーボネート、ジメチルサルファイト、フルオロエチレンカーボネート、トリフルオロプロピレンカーボネート、ブロモγ−ブチロラクトンおよびフルオロγ−ブチロラクトンからなる群から選択される少なくとも１つのメンバーを含む請求項３に記載の電解質。
【請求項９】
ホウ素、リン、硫黄、フッ素および炭素からなる群から選択される少なくとも１つのメンバーを含む添加剤を更に含む請求項２に記載の電解質。
【請求項１０】
添加剤を更に含み、前記添加剤が、リチウムヘキサフルオロホスフェート（ＬｉＰＦ6）、リチウムビス−オキサラトボレート（ＬｉＢＯＢ）、または他のキレートボレート塩、リチウムパークロレート（ＬｉＣｌＯ4）、リチウムヘキサフルオロアルセネート（ＬｉＡｓＦ6）、リチウムトリフルオロメタンスルホネート（ＬｉＣＦ3ＳＯ3）、リチウムトリフルオロメタンスルホンイミド（Ｌｉ（ＣＦ3ＳＯ2）2Ｎ、リチウムテトラフルオロボレート（ＬｉＢＦ4）、リチウムテトラクロロアルミナート（ＬｉＣｌＯ4）、リチウムヘキサフルオロアンチモナート（ＬｉＳｂＦ6）、ＣＯ2、リン酸エステル、ホウ酸エステルおよび水からなる群から選択される少なくとも１つのメンバーを含む請求項２に記載の電解質。
【請求項１１】
正極、負極および第１サイクルの還元電流より低い、Ｌｉ／Ｌｉ+に対して０．３Ｖにおける第２サイクル還元電流を有する電解質であって、Ｌｉ／Ｌｉ+に対して０．３Ｖより上で還元されず、および／又は電気化学的に不活性化しない塩を含む電解質を含むセル。
【請求項１２】
前記セルの前記形成サイクルの間、前記セルがオーバーチャージされる請求項１１に記載のセル。
【請求項１３】
前記セルが、前記電極の少なくとも１つに不活性化（passivation）層を形成する添加剤を更に含む請求項１１に記載のセル。
【請求項１４】
前記セルが、前記電極の少なくとも１つに不活性化層を形成する少なくとも１種の添加剤を更に含む請求項１２に記載のセル。
【請求項１５】
前記添加剤が少なくとも１種の無機化合物を含む請求項１２に記載のセル。
【請求項１６】
前記添加剤が、ホウ素、リン、硫黄、フッ素および炭素からなる群から選択される少なくとも１つのメンバーを含む請求項１２に記載のセル。
【請求項１７】
前記添加剤が、リチウムヘキサフルオロホスフェート（ＬｉＰＦ6）、リチウムビス−オキサラトボレート（ＬｉＢＯＢ）、または他のキレートボレート塩、リチウムパークロレート（ＬｉＣｌＯ4）、リチウムヘキサフルオロアルセネート（ＬｉＡｓＦ6）、リチウムトリフルオロメタンスルホネート（ＬｉＣＦ3ＳＯ3）、リチウムトリフルオロメタンスルホンイミド（Ｌｉ（ＣＦ3ＳＯ2）2Ｎ、リチウムテトラフルオロボレート（ＬｉＢＦ4）、リチウムテトラクロロアルミナート（ＬｉＣｌＯ4）、リチウムヘキサフルオロアンチモナート（ＬｉＳｂＦ6）、ＣＯ2、リン酸エステル、ホウ酸エステルおよび水からなる群から選択される少なくとも１つのメンバーを含む請求項１２に記載のセル。
【請求項１８】
前記添加剤が少なくとも１種の有機化合物を含み、前記添加剤が、カーボネート、クロロエチレンカーボネート、ビニレンカーボネート、ビニルエチレンカーボネート、サルファイト、エチレンサルファイト、プロパンスルホン、プロピレンサルファイト、ブチロラクトン、フェニルエチレンカーボネート、フェニルビニレンカーボネート、カテコールカーボネート、ビニルアセテート、ビニルエチレンカーボネート、ジメチルサルファイト、フルオロエチレンカーボネート、トリフルオロプロピレンカーボネート、ブロモγ−ブチロラクトンおよびフルオロγ−ブチロラクトンからなる群から選択される請求項１３に記載のセル。
【請求項１９】
前記添加剤が、リチウムヘキサフルオロホスフェート（ＬｉＰＦ6）、リチウムビス−オキサラトボレート（ＬｉＢＯＢ）、または他のキレートボレート塩、リチウムパークロレート（ＬｉＣｌＯ4）、リチウムヘキサフルオロアルセネート（ＬｉＡｓＦ6）、リチウムトリフルオロメタンスルホネート（ＬｉＣＦ3ＳＯ3）、リチウムトリフルオロメタンスルホンイミド（Ｌｉ（ＣＦ3ＳＯ2）2Ｎ、リチウムテトラフルオロボレート（ＬｉＢＦ4）、リチウムテトラクロロアルミナート（ＬｉＣｌＯ4）、リチウムヘキサフルオロアンチモナート（ＬｉＳｂＦ6）、ＣＯ2、リン酸エステル、ホウ酸エステルおよび水からなる群から選択される少なくとも１つのメンバーを含む請求項１２に記載のセル。
【請求項２０】
正極、負極および電解質を含むセル中にＳＥＩ層を形成する方法であって、形成サイクル中に前記セルをオーバーチャージする工程を含む方法。
【請求項２１】
前記セルが、前記電極の少なくとも１つに不活性化層を形成する添加剤を更に含む請求項１４に記載の方法。
【請求項２２】
以下の式の塩を含むセルであって：
ＬｉaＱ  上式において、Ｑがボレートクラスターアニオンまたはヘテロボレートクラスターアニオンであり、ａが１または２であり、オーバーチャージ工程を含む形成サイクルを経験するセル。
【請求項２３】
以下の式の塩を含むセルであって：
ＬｉaＱ  上式において、Ｑがボレートクラスターアニオンまたはヘテロボレートクラスターアニオンであり、ａが１または２であり、添加剤を更に含むセル。
【請求項２４】
以下の式を有する塩であって：
ＬｉaＱ  上式において、Ｑがボレートクラスターアニオンまたはヘテロボレートクラスターアニオンであり、ａが１または２である塩および少なくとも１種の部分酸化された化合物を含む電解質。